(57)【要約】【課題】  収容室の水を発射室に送る送水手段とを有し、確実に一定量の水を発射室に送ることができる水鉄砲玩具を提供すること目的とする。【解決手段】  水鉄砲玩具１は、操作部材９０を操作すると、係合部材１０３を介して圧力部材６０が後方に移動し、ピストン部材１２８が送水口１２５側に移動して、シリンダー部１２１内の水が発射室５８内に送られ、係合部材１０３の圧力部材６０に対する係合が解除され、第１の弾性部材７７の弾性により、圧力部材６０が前方に移動し、発射室５８内の水を発射口５５から発射する。操作部材９０の操作を解除すると、第３の弾性部材９３の弾性により、ピストン部材１２８が元の状態に復帰し、シリンダー部１２１内に水が蓄えられる。【選択図】        図３
2006153449.tif 000002
【特許請求の範囲】
【請求項１】
玩具本体には、
発射口を備えた発射室と、
発射室内に水密に移動自在に設けられ、発射口に向かって第１の弾性部材によって付勢される圧力部材と、
圧力部材を第１の弾性部材の弾性に抗して発射口とは反対側に移動させるスライド部材と、
スライド部材によって発射口とは反対側に移動させられ、第１の弾性部材の弾性が蓄えられた状態の圧力部材と係合する操作部材と、
水を収容する収容室と、
収容室の水を発射室に送る送水手段とを有し、
送水手段は、発射室と連通する送水口を備えたシリンダー部と、シリンダー部内に水密に移動自在に設けられ、送水口とは反対側に向かって第２の弾性部材によって付勢されたピストン部材とで構成され、
前記シリンダー部と前記収容室は連通口によって連通され、
前記ピストン部材は前記操作部材と連係手段により連係されていることを特徴とする水鉄砲玩具。
【請求項２】
前記操作部材は、これを操作すると、連係手段がピストン部材を第２の弾性部材に抗して送水口側に移動させ、シリンダー部内の水を発射室に送ると共に、圧力部材との係合が解除され、圧力部材が第１の弾性部材の弾性によって発射口側に移動し、発射室内の水を発射口から発射させる一方、これの操作を解除すると、ピストン部材が第２の弾性部材によって送水口と反対側に移動して、前記収容室内の水を連通口を介してシリンダー部内に送るように構成されていることを特徴とする請求項１記載の水鉄砲玩具。
【請求項３】
前記圧力部材は、第１の弾性部材の弾性によって発射口側に移動すると、送水手段の送水口を塞ぐように形成されていることを特徴とする請求項１又は２記載の水鉄砲玩具。
【請求項４】
前記操作部材には、圧力部材の一側と係脱する係合部材が設けられており、
操作部材を操作すると、係合部材と係合している圧力部材を第１の弾性部材の弾性に抗して発射口とは反対側に移動させ、所定位置で係合部材が圧力部材の一側から脱離して、圧力部材が第１の弾性部材の弾性によって発射口側に移動するようになっていることを特徴とする請求項１、２又は３記載の水鉄砲玩具。
【請求項５】
前記スライド部材は、発射室の一部を構成し、
スライド部材は、発射口と反対方向に移動可能であって、発射口と反対側に移動させた時、前記圧力部材と係合して、圧力部材を第１の弾性部材の弾性に抗して発射口と反対側に移動させ、圧力部材を前記操作部材の係合部材に係合させることができるように形成されていることを特徴とする請求項４記載の水鉄砲玩具。
【請求項６】
玩具本体には、
発射口を備えた発射室と、
発射室内に水密に移動自在に設けられ、発射口に向かって第１の弾性部材によって付勢される圧力部材と、
圧力部材を第１の弾性部材の弾性に抗して発射口とは反対側に移動させるスライド部材と、
スライド部材によって発射口とは反対側に移動させられ、第１の弾性部材の弾性が蓄えられた状態の圧力部材と係合する操作部材とを備え、
前記スライド部材は、発射室の一部を構成していることを特徴とする水鉄砲玩具。
【請求項７】
前記圧力部材の発射口側の先端部は、略円錐状に形成され、前記発射室の発射口近傍は、発射口に向かって内径が狭くなる傾斜面部が形成されていることを特徴とする請求項１乃至６のいずれか１項に記載の水鉄砲玩具。
【請求項８】
玩具本体には、
発射口を備えた発射室と、
発射室内に水密に移動自在に設けられ、発射口に向かって第１の弾性部材によって付勢される圧力部材と、
圧力部材を第１の弾性部材の弾性に抗して発射口とは反対側に移動させるスライド部材と、
スライド部材によって発射口とは反対側に移動させられ、第１の弾性部材の弾性が蓄えられた状態の圧力部材と係合する操作部材とを備え、
前記操作部材は、これを操作すると圧力部材との係合が解除され、圧力部材が第１の弾性部材の弾性によって発射口側に移動し、発射室内の水を発射口から発射させるように構成され、
圧力部材の発射口側の先端部は、略円錐状に形成されていることを特徴とする水鉄砲玩具。
【請求項９】
玩具本体には、
発射口を備えた発射室と、
発射室内に水密に移動自在に設けられ、発射口に向かって第１の弾性部材によって付勢される圧力部材と、
圧力部材を第１の弾性部材の弾性に抗して発射口とは反対側に移動させるスライド部材と、
スライド部材によって発射口とは反対側に移動させられ、第１の弾性部材の弾性が蓄えられた状態の圧力部材と係合する操作部材とを備え、
前記操作部材は、これを操作すると圧力部材との係合が解除され、圧力部材が第１の弾性部材の弾性によって発射口側に移動し、発射室内の水を発射口から発射させるように構成され、
発射室の発射口近傍は、発射口に向かって内径が狭くなる傾斜面部が形成されていることを特徴とする水鉄砲玩具。
【請求項１０】
玩具本体には、
発射口を備えた発射室と、
発射室内に水密に移動自在に設けられ、発射口に向かって第１の弾性部材によって付勢される圧力部材と、
圧力部材を第１の弾性部材の弾性に抗して発射口とは反対側に移動させるスライド部材と、
スライド部材によって発射口とは反対側に移動させられ、第１の弾性部材の弾性が蓄えられた状態の圧力部材と係合する操作部材とを備え、
前記操作部材は、これを操作すると圧力部材との係合が解除され、圧力部材が第１の弾性部材の弾性によって発射口側に移動し、発射室内の水を発射口から発射させるように構成され、
圧力部材の発射口側の先端部は、略円錐状に形成され、
発射室の発射口近傍は、発射口に向かって内径が狭くなる傾斜面部が形成されていることを特徴とする水鉄砲玩具。
【発明の詳細な説明】
【技術分野】
【０００１】
本願発明は、操作部材を操作すると、弾性部材によって付勢された圧力部材が発射室内の液体を発射口から発射する水鉄砲玩具に関する。
【背景技術】
【０００２】
従来、水鉄砲玩具は、発射口を備えた発射室と、発射室内に水密に移動自在に設けられ、発射口に向かって弾性部材によって付勢される圧力部材と、圧力部材を弾性部材の弾性に抗して発射口とは反対側に移動させるスライド部材と、スライド部材によって発射口とは反対側に移動させられ、弾性部材の弾性が蓄えられた状態の圧力部材と係合する操作部材と、水を収容する収容室と、収容室と発射室を連通する連通口とからなる。従来の水鉄砲玩具は、スライド部材によって、圧力部材を弾性部材の弾性に抗して発射口とは反対側に移動させると、収容室内の水が連通口を介して発射室に送られ、圧力部材が弾性部材の弾性が蓄えられた状態で操作部材と係合する。操作部材を操作すると、圧力部材の係合が解除され、圧力部材が弾性部材によって発射口側に移動し、発射室内の水を発射口から発射する（例えば、特許文献１）。
【特許文献１】実公昭５４−２３４３５号公報
【発明の開示】
【発明が解決しようとする課題】
【０００３】
従来の水鉄砲玩具は、スライド部材によって、圧力部材を弾性部材の弾性に抗して発射口とは反対側に移動させると、収容室内の水が連通口を介して発射室に流れ込むようになっている。発射室は、発射口が開放されているため、圧力部材が反発射口側へ移動させられても、負圧が発生しない。そのため、収容室の水は、負圧により発射室に流れ込むのではなく、自重により発射室に流れ込んでいた。従って、従来の水鉄砲玩具は、発射室内に流れ込む水の量が一定ではないという問題点があった。また、従来の水鉄砲玩具は、圧力部材の発射口側の先端部が略平面形状に形成されており、水を弾丸形状に形成することが難しいという問題点もあった。
【０００４】
本願発明は、収容室の水を発射室に送る送水手段を有し、確実に一定量の水を発射室に送ることができる水鉄砲玩具を提供することを第１の目的とする。また、本願発明は、部品点数を減らし、組立の容易化、コストの低廉化を図ることができる水鉄砲玩具を提供することを第２の目的とする。さらに、本願発明は、確実に発射する水を弾丸形状にして飛ばすことができる水鉄砲玩具を提供することを第３の目的とする。さらにまた、本願発明は、弾丸形状の水玉の飛距離を大幅に向上した水鉄砲玩具を提供することを第４の目的とする。
【課題を解決するための手段】
【０００５】
請求項１記載の発明に係る水鉄砲玩具は、上記第１の目的を達成するため、玩具本体には、発射口を備えた発射室と、発射室内に水密に移動自在に設けられ、発射口に向かって第１の弾性部材によって付勢される圧力部材と、圧力部材を第１の弾性部材の弾性に抗して発射口とは反対側に移動させるスライド部材と、スライド部材によって発射口とは反対側に移動させられ、第１の弾性部材の弾性が蓄えられた状態の圧力部材と係合する操作部材と、水を収容する収容室と、収容室の水を発射室に送る送水手段とを有し、送水手段は、発射室と連通する送水口を備えたシリンダー部と、シリンダー部内に水密に移動自在に設けられ、送水口とは反対側に向かって第２の弾性部材によって付勢されたピストン部材とで構成され、前記シリンダー部と前記収容室は連通口によって連通され、前記ピストン部材は前記操作部材と連係手段により連係されている。
【０００６】
請求項２記載の発明に係る水鉄砲玩具は、上記第１の目的を達成するため、前記操作部材は、これを操作すると、連係手段がピストン部材を第２の弾性部材に抗して送水口側に移動させ、シリンダー部内の水を発射室に送ると共に、圧力部材との係合が解除され、圧力部材が第１の弾性部材の弾性によって発射口側に移動し、発射室内の水を発射口から発射させる一方、これの操作を解除すると、ピストン部材が第２の弾性部材によって送水口と反対側に移動して、前記収容室内の水を連通口を介してシリンダー部内に送るように構成されている。
【０００７】
請求項３記載の発明に係る水鉄砲玩具は、上記第１の目的を達成するため、前記圧力部材は、第１の弾性部材の弾性によって発射口側に移動すると、送水手段の送水口を塞ぐように形成されている。
【０００８】
請求項４記載の発明に係る水鉄砲玩具は、上記第１の目的を達成するため、前記操作部材には、圧力部材の一側と係脱する係合部材が設けられており、操作部材を操作すると、係合部材と係合している圧力部材を第１の弾性部材の弾性に抗して発射口とは反対側に移動させ、所定位置で係合部材が圧力部材の一側から脱離して、圧力部材が第１の弾性部材の弾性によって発射口側に移動するようになっている。
【０００９】
請求項５記載の発明に係る水鉄砲玩具は、上記第２の目的を達成するため、前記スライド部材は、発射室の一部を構成し、スライド部材は、発射口と反対方向に移動可能であって、発射口と反対側に移動させた時、前記圧力部材と係合して、圧力部材を第１の弾性部材の弾性に抗して発射口と反対側に移動させ、圧力部材を前記操作部材の係合部材に係合させることができるように形成されている。
【００１０】
請求項６記載の発明に係る水鉄砲玩具は、上記第２の目的を達成するため、玩具本体には、発射口を備えた発射室と、発射室内に水密に移動自在に設けられ、発射口に向かって第１の弾性部材によって付勢される圧力部材と、圧力部材を第１の弾性部材の弾性に抗して発射口とは反対側に移動させるスライド部材と、スライド部材によって発射口とは反対側に移動させられ、第１の弾性部材の弾性が蓄えられた状態の圧力部材と係合する操作部材とを備え、前記スライド部材は、発射室の一部を構成している。
【００１１】
請求項７記載の発明に係る水鉄砲玩具は、上記第３、４の目的を達成するため、前記圧力部材の発射口側の先端部は、略円錐状に形成され、前記発射室の発射口近傍は、発射口に向かって内径が狭くなる傾斜面部が形成されている。
【００１２】
請求項８記載の発明に係る水鉄砲玩具は、上記第３の目的を達成するため、玩具本体には、発射口を備えた発射室と、発射室内に水密に移動自在に設けられ、発射口に向かって第１の弾性部材によって付勢される圧力部材と、圧力部材を第１の弾性部材の弾性に抗して発射口とは反対側に移動させるスライド部材と、スライド部材によって発射口とは反対側に移動させられ、第１の弾性部材の弾性が蓄えられた状態の圧力部材と係合する操作部材とを備え、前記操作部材は、これを操作すると圧力部材との係合が解除され、圧力部材が第１の弾性部材の弾性によって発射口側に移動し、発射室内の水を発射口から発射させるように構成され、圧力部材の発射口側の先端部は、略円錐状に形成されている。
【００１３】
請求項９記載の発明に係る水鉄砲玩具は、上記第４の目的を達成するため、玩具本体には、発射口を備えた発射室と、発射室内に水密に移動自在に設けられ、発射口に向かって第１の弾性部材によって付勢される圧力部材と、圧力部材を第１の弾性部材の弾性に抗して発射口とは反対側に移動させるスライド部材と、スライド部材によって発射口とは反対側に移動させられ、第１の弾性部材の弾性が蓄えられた状態の圧力部材と係合する操作部
材とを備え、前記操作部材は、これを操作すると圧力部材との係合が解除され、圧力部材が第１の弾性部材の弾性によって発射口側に移動し、発射室内の水を発射口から発射させるように構成され、発射室の発射口近傍は、発射口に向かって内径が狭くなる傾斜面部が形成されている。
【００１４】
請求項１０記載の発明に係る水鉄砲玩具は、上記第３、４の目的を達成するため、玩具本体には、発射口を備えた発射室と、発射室内に水密に移動自在に設けられ、発射口に向かって第１の弾性部材によって付勢される圧力部材と、圧力部材を第１の弾性部材の弾性に抗して発射口とは反対側に移動させるスライド部材と、スライド部材によって発射口とは反対側に移動させられ、第１の弾性部材の弾性が蓄えられた状態の圧力部材と係合する操作部材とを備え、前記操作部材は、これを操作すると圧力部材との係合が解除され、圧力部材が第１の弾性部材の弾性によって発射口側に移動し、発射室内の水を発射口から発射させるように構成され、圧力部材の発射口側の先端部は、略円錐状に形成され、発射室の発射口近傍は、発射口に向かって内径が狭くなる傾斜面部が形成されている。
【発明の効果】
【００１５】
本願発明に係る水鉄砲玩具は、発射口を備えた発射室内に収容室の水を送る送水手段を有し、操作部材を操作すると、ピストン部材を第２の弾性部材に抗して送水口側に移動して、シリンダー部内の水を発射室に送ると共に、圧力部材との係合を解除し、圧力部材を第１の弾性部材の弾性によって発射口側に移動させて、発射室内の水を発射口から発射させるので、収納室の水を発射室内に確実に一定量送ることができるという効果がある。また、操作部材の操作を解除すると、ピストン部材が第２の弾性部材によって送水口と反対側に移動して、収容室内の水がシリンダー部内に送られるので、自動的に送水手段に水が蓄えられるという効果がある。
【００１６】
本願発明に係る水鉄砲玩具は、圧力部材が第１の弾性部材の弾性によって発射口側に移動すると、送水手段の送水口を塞ぐので、ピストン部材が第２の弾性部材によって送水口と反対側に移動すると、シリンダー部内に負圧が発生し、収容室内の水が連通口を介してシリンダー部内に強制的に送られることができるという効果がある。
【００１７】
本願発明に係る水鉄砲玩具は、操作部材を操作すると、係合部材と係合している圧力部材が第１の弾性部材の弾性に抗して発射口とは反対側に移動しているので、圧力部材が送水口を塞いではおらず、送水手段が水を確実に発射室内に供給することができるという効果がある。
【００１８】
本願発明に係る水鉄砲玩具は、スライド部材が発射室の一部を構成するので、部品点数を減らし、組立の容易化、コストの低廉化を図ることができると共に、発射室の一部をスライドさせることにより、発射準備を完了させるので、動作に興趣性があるという効果がある。
【００１９】
本願発明に係る水鉄砲玩具は、圧力部材の発射口側の先端部が略円錐状に形成されているので、確実に発射する水を弾丸形状にして飛ばすことができるという効果がある。また、本願発明に係る水鉄砲玩具は、発射室の発射口近傍が発射口に向かって内径が狭くなる傾斜面部が形成されているので、弾丸形状の水玉の飛距離を大幅に向上することができるという効果がある。
【発明を実施するための最良の形態】
【００２０】
以下、本願発明の実施の形態を図面に基づいて説明する。図１は、本願発明に係る水鉄砲玩具の一方側から視た斜視図であって、（ａ）は前方から視た斜視図であり、（ｂ）は後方から視た斜視図である。図２は、本願発明に係る水鉄砲玩具の他方側から視た斜視図
であって、（ａ）は前方から視た斜視図であり、（ｂ）は後方から視た斜視図である。図３は、本願発明に係る水鉄砲玩具の側面断面図である。図４は、発射室内に水を供給している側面断面図である。図５は、発射室内の水を発射している側面断面図である。図６は、圧力部材を引き戻して操作部材に係合させている側面断面図である。図７は、本願発明に係る水鉄砲玩具の側面図である。図８は、図７の各断面図であって、（ａ）は図７のＡ−Ａ断面図、（ｂ）は図７のＢ−Ｂ断面図、（ｃ）は、図７のＣ−Ｃ断面図、（ｄ）は図７のＤ−Ｄ断面図である。
【００２１】
水鉄砲玩具１は、玩具本体２を有する。玩具本体２には、発射口５５を備えた発射室５８と、発射室５８内に水密に移動自在に設けられ、発射口５５に向かって第１の弾性部材７７，１４５によって付勢される圧力部材６０と、圧力部材６０を第１の弾性部材７７，１４５の弾性に抗して発射口５５とは反対側に移動させるスライド部材１５と、スライド部材１５によって発射口５５とは反対側に移動させられ、第１の弾性部材７７，１４５の弾性が蓄えられた状態の圧力部材６０と係合する操作部材９０と、水を収容する収容室２５と、収容室２５の水を発射室５８に送る送水手段１２０とを有する。
【００２２】
送水手段１２０は、発射室５８と連通する送水口１２５を備えたシリンダー部１２１と、シリンダー部１２１内に水密に移動自在に設けられ、送水口１２５とは反対側に向かって第２の弾性部材１３２によって付勢されたピストン部材１２８とで構成され、前記シリンダー部１２１と前記収容室２５は連通口１２４によって連通されている。
【００２３】
前記ピストン部材１２８は前記操作部材９０と連係手段１４３により連係されている。前記操作部材９０は、これを操作すると、連係手段１４３がピストン部材１２８を第２の弾性部材１３２に抗して送水口１２５側に移動させ、シリンダー部１２１内の水を発射室５８に送ると共に、圧力部材６０との係合が解除され、圧力部材６０が第１の弾性部材７７，１４５の弾性によって発射口５５側に移動し、発射室５８内の水を発射口５５から発射させる一方、これの操作を解除すると、ピストン部材１２８が第２の弾性部材１３２によって送水口１２５と反対側に移動して、収容室２５内の水が連通口１２４を介してシリンダー部１２１内に送られるように構成されている。
【００２４】
前記圧力部材６０は、第１の弾性部材７７，１４５の弾性によって発射口５５側に移動すると、送水手段１２０の送水口１２５を塞ぐように形成されている。前記操作部材９０には、圧力部材６０の一側と係脱する係合部材１０３が設けられており、操作部材９０を操作すると、係合部材１０３と係合している圧力部材６０を第１の弾性部材７７，１４５の弾性に抗して発射口５５とは反対側に移動させ、所定位置で係合部材１０３が圧力部材６０の一側から脱離して、圧力部材６０が第１の弾性部材７７，１４５の弾性によって発射口５５側に移動するようになっている。
【００２５】
前記スライド部材１５は、発射室５８の一部を構成している。スライド部材１５は、発射口５５と反対方向に移動可能であって、発射口５５と反対側に移動させた時、前記圧力部材６０と係合して、圧力部材６０を第１の弾性部材７７，１４５の弾性に抗して発射口５５と反対側に移動させ、圧力部材６０を前記操作部材９０の係合部材１０３に係合させることができるように形成されている。圧力部材６０の発射口５５側の先端部６１は、略円錐状に形成されている。発射室５８の発射口５５近傍は、発射口５５に向かって内径が狭くなる傾斜面部５６が形成されている。
【００２６】
さらに具体的に説明する。図１，２に示すように、水鉄砲玩具１は、ピストル状の玩具本体２を有する。玩具本体２は、発射口５５が形成された銃身部３と、銃身部３の前方下部に形成された送水部８５と、銃身部３の後方下部に形成された握り部８３と、握り部８３の前部に設けられた引き金部材（操作部材）９０と、銃身部３の上部に着脱自在に設け
られた水収容タンク９とを有する。
【００２７】
玩具本体２は、上ケース１０と下ケース４０に二分割されている。図８に示すように、上ケース１０は、断面が略コ字状に形成され、上壁１１と、上壁１１の短手方向両側に設けられた上側壁１２，１３とからなる。右上側壁１２の下端には、断面略コ字状のガイド突起１２ａが内側に突出して設けられている。また、左上側壁１３の下端には、断面略コ字状のガイド突起１３ａが内側に突出して設けられている。右上側壁１２の略中央には、係合縁１２ｂが内側に突出して設けられている。また、左上側壁１３の略中央には、係合縁１３ｂが内側に突出して設けられている。
【００２８】
さらに上ケース１０は、右上側壁１２側と、左上側壁１３側に二分割されており、右上側壁１２側と左上側壁１３側が接合され、ネジ、接着剤等の固定手段により一体的に組み立てられるようになっている。図８（ｃ）に示すように、右上側壁１２の係合縁１２ｂより上部の所定箇所には、取付軸１９が内側に突出して形成されている。左上側壁１３の係合縁１３ｂより上部の所定箇所には、前記取付軸１９の先端を嵌合する嵌合凹部２０が形成された軸受部２１が形成されている。
【００２９】
上ケース１０内には、半円筒状の上半発射筒（スライド部材）１５が上ケース１０の長手方向と略平行に設けられている。上半発射筒（スライド部材）１５は、両端に係合フランジ１５ａ，１５ｂが形成され、上部に取付板１６が形成されている。取付板１６の所定箇所には、透孔１７が形成されたボス１８が形成されている。なお透孔１７は、上ケース１０の短手方向に向かって設けられている。前記上半発射筒（スライド部材）１５は、右上側壁１２側と左上側壁１３側に挟み込まれ、係合フランジ１５ａが係合縁１２ｂの下面に係合し、係合フランジ１５ｂが係合縁１３ｂの下面に係合し、取付板１６のボス１８に形成された透孔１７に取付軸１９が挿通されて、上ケース１０に固定して取り付けられている。
【００３０】
水収容タンク９は、台形体状に形成され、内部に水を収容する収容室２５が形成されている。また、水収容タンク９の上部には、収容室２５内に水を入れる開口２６が形成されている。当該開口２６は、蓋部材２７によって着脱自在に塞がれている。また、水収容タンク９の下部側面には、収容室２５内と連通する送水連通管２８が設けられている。上ケース１０の上壁１１は、略中央部に係止突起２９が形成され、後部に係止部材３０が設けられている。
【００３１】
係止部材３０は、バネ等の弾性部材３１によって、係止方向に付勢されている。前記水収容タンク９は、前部が前記上ケース１０の係止突起２９に係止され、後部が弾性部材３１によって付勢された係止部材３０に係止され、上ケース１０に着脱自在に装着されている。前記水収容タンク９は、係止部材３０を弾性部材３１の弾性に抗して反係止方向に移動させることにより、即ち、図３において、係止部材３０を下方に押し下げることにより、係止部材３０の係止が解除され、上ケース１０から取り外すことができる。
【００３２】
下ケース４０は、右下側壁４２と左下側壁４３を有し、右下側壁４２側と左下側壁４３側に二分割されており、右下側壁４２側と左下側壁４３側が接合され、ネジ、接着剤等の固定手段により一体的に組み立てられるようになっている。右下側壁４２の上端には、内側に突出して形成された係合縁４２ａが形成されている。また、右下側壁４２の上端より若干下方に下がった位置には、断面略コ字状のガイド溝４２ｂが下ケース４０の前後方向に向かって形成されている。同様に、左下側壁４３の上端には、内側に突出して形成された係合縁４３ａが形成されている。また、左下側壁４３の上端より若干下方に下がった位置には、断面略コ字状のガイド溝４３ｂが下ケース４０の前後方向に向かって形成されている。
【００３３】
下ケース４０内には、半円筒状の下半発射筒４５が下ケース４０の長手方向と略平行に設けられている。下半発射筒４５は、両端に係合フランジ４５ａ，４５ｂが形成され、下部に取付部材４６・・が形成されている。取付部材４６の所定箇所には、透孔４７が形成されている。なお透孔４７は、下ケース４０の短手方向に向かって設けられている。前記下半発射筒４５は、右下側壁４２側と左下側壁４３側に挟み込まれ、係合フランジ４５ａが係合縁４２ａの上面に係合し、係合フランジ４５ｂが係合縁４３ａの上面に係合し、取付部材４６の透孔４７に取付軸、ネジ等が挿通されて、下ケース４０に固定して取り付けられている。
【００３４】
前記上ケース１０は、下ケース４０に前後方向にスライド可能に取り付けられている。即ち、上ケース１０の右上側壁１２の下端に設けられた前記ガイド突起１２ａが、下ケース４０の右下側壁４２に形成されたガイド溝４２ｂに摺動自在に案内されている。また、上ケース１０の左上側壁１３の下端に設けられた前記ガイド突起１３ａが、下ケース４０の左下側壁４３に形成されたガイド溝４３ｂに摺動自在に案内されている。上ケース１０の上半発射筒（スライド部材）１５と下ケース４０の下半発射筒４５が接合して発射筒５０が形成され、発射筒５０内に断面が略円形の主発射室５１が形成されている。なお、上ケース１０は、下ケース４０に対してスライド可能であるので、上半発射筒（スライド部材）１５の係合フランジ１５ａ，１５ｂが下半発射筒４５の係合フランジ４５ａ，４５ｂに摺接する。
【００３５】
下ケース４０の前端には、発射体５３が、ネジ、接着剤等の固定手段により一体的取り付けられている。発射体５３には、前部に発射口５５を備えた補助発射室５４が形成されている。補助発射室５４は、第１の傾斜面部５６と、第１の傾斜面部５６に連接された第２の傾斜面部５７とで構成されている。第１の傾斜面部５６は、発射体５３の後端から前端の発射口５５に向かって内径が狭くなる傾斜によって形成されている。第２の傾斜面部５７は、第１の傾斜面部５６より短く、且つ発射口５５から前端に向かって内径が広くなる第１の傾斜面部５６より急勾配の傾斜によって形成されている。補助発射室５４は、前記主発射室５１と略同一軸心となっており、主発射室５１と接合されて、玩具本体２の発射室５８を形成している。
【００３６】
前記主発射室５１内には、円軸状の圧力部材６０が摺動自在に設けられている。圧力部材６０は、先端部６１が円錐状に形成されている。圧力部材６０の上部には、長手方向に向かって案内溝６３が形成されている。当該案内溝６３には、上半発射筒（スライド部材）１５に設けられた案内突起６５が摺動自在に挿設されている。圧力部材６０は、これの案内溝６３に上半発射筒（スライド部材）１５の案内突起６５が挿設されているので、軸心を中心として回動することがなく、案内溝６３の後端６６が案内突起６５に当接するまで前方に移動でき、案内溝６３の前端６７が案内突起６５に当接するまで後方に移動できる。
【００３７】
圧力部材６０の後方下部には、一対の突起６９，７０が形成されている。下半発射筒４５の後部には、長手方向に長く伸びる切り欠き７４が形成されている。前記一対の突起６９，７０は、下半発射筒４５の切り欠き７４を挿通して、下ケース４０内に突出し、被係合部材７１が取り付けられている。被係合部材７１は、前記一対の突起６９，７０を嵌合する嵌合穴７２，７３が形成され、ネジ７５によって一対の突起６９，７０に固定して取り付けられている。被係合部材７１には、掛止片７６が突設されている。掛止片７６には、バネ状の第１の弾性部材７７の一端７９が掛止されている。第１の弾性部材７７の他端８０は、下ケース４０内に設けられた掛止軸８１に掛止されている。従って、圧力部材６０は、第１の弾性部材７７によって、前方に付勢され、案内溝６３の後端６６が案内突起６５に当接する。
【００３８】
下ケース４０は、後方下部に握り部８３が形成され、前方下部に送水部８５が形成され、握り部８３と送水部８５の間に連結部８６が形成されている。握り部８３の上部には、引き金部材（操作部材）９０が前後方向に摺動自在に設けられている。引き金部材（操作部材）９０は、下ケース４０に形成された切り欠き９１から一部が外側に突出している。引き金部材（操作部材）９０は、後端に連結軸９２が形成されている。連結軸９２には、バネ状の第３の弾性部材９３の一端９５が取り付けられている。バネ状の第３の弾性部材９３の他端９６は、握り部８３内に設けられた断面略コ字状の受け部材９７に取り付けられている。従って、引き金部材（操作部材）９０は、第３の弾性部材９３によって前方に付勢され、切り欠き９１の前端縁９９に当接する。
【００３９】
引き金部材（操作部材）９０の上部には、引き金部材（操作部材）９０と連動する連動部材１０１が設けられている。引き金部材（操作部材）９０の上部には、連結孔９４が形成されている。連動部材１０１は、細長い板状に形成され、前後方向に摺動可能となるようにして下ケース４０に取り付けられ、前部に前記引き金部材（操作部材）９０の連結孔９４に差し込まれる連結ピン１０２が取り付けられている。
【００４０】
連動部材１０１の略中間部には支軸１０５が設けられ、支軸１０５には係合部材１０３が回動自在が取り付けられている。係合部材１０３の後部には、下方に突出した突軸１０６が形成されている。突軸１０６には、バネ状の第４の弾性部材１０７の一端１０９が取り付けられている。バネ状の第４の弾性部材１０７の他端１１０は、連動部材１０１に設けられた受け部材１１２に取り付けられている。従って、係合部材１０３は、第４の弾性部材１０７によって後部１１３が上方に付勢され、前部１１５が下方に付勢されている。
【００４１】
下ケース４０には、係合縁１１６が設けられている。係合縁１１６は、引き金部材（操作部材）９０が第３の弾性部材９３の弾性に抗して、後方に移動した時、係合部材１０３の前部１１５と係合して、係合部材１０３を時計方向に回転させ、後部１１３を第４の弾性部材１０７の弾性に抗して下方に下げるようになっている。
【００４２】
送水部８５には、送水手段１２０が設けられている。送水手段１２０は、矩形体状のシリンダー部１２１と、シリンダー部１２１内に水密に移動自在に設けられた矩形体状のピストン部材１２８とで構成されている。シリンダー部１２１の上壁１２２には、送水口１２５を備えた連通管１２３が設けられている。連通管１２３は、下半発射筒４５に形成された開口１２６に嵌合され、送水口１２５が主発射室５１と連通している。シリンダー部１２１の側壁１２７には、シリンダー部１２１内と連通する連通口１２４が形成され、連通口１２４に受水連通管３２が設けられている。当該受水連通管３２と前記送水連通管２８は、可撓性を有する送水管２２によって連結されている。
【００４３】
ピストン部材１２８は、シリンダー部１２１の下部開放から差し込まれており、上壁１２９に凹部１３０が形成されている。凹部１３０には、突起１３１が形成され、当該突起１３１にバネ状の第２の弾性部材１３２の下端が取り付けられている。第２の弾性部材１３２の上端は、シリンダー部１２１の上壁１２２に当接している。そのため、ピストン部材１２８は、第２の弾性部材１３２によって、送水口１２５とは反対側、即ち下部開放側に向かって付勢されている。
【００４４】
ピストン部材１２８には、上記したように矩形体状に形成され、上部に上壁１２９が形成され、下部１３５が開放されている。ピストン部材１２８内には、下部１３５から三角体状の摺動体１３７が設けられている。摺動体１３７は、下面１３９から前方に向かって上昇傾斜する第１の傾斜面１４０が形成されている。また、ピストン部材１２８内には、ピストン部材１２８を送水口１２５側に移動させる、即ち、ピストン部材１２８を送水口
１２５側に押し上げる押上体１４１が設けられている。
【００４５】
押上体１４１は、前方に向かって上昇傾斜する第２の傾斜面１４２が形成されている。第２の傾斜面１４２は、第１の傾斜面１４０と摺接するようになっている。押上体１４１は、連結杆（連係手段）１４３の前部に一体に取り付けられている。連結杆（連係手段）１４３は、連結部８６内に前後方向に向かって摺動自在に設けられている。連結杆（連係手段）１４３の後部は、前記した引き金部材（操作部材）９０の下部に一体に取り付けられている。押上体１４１と連結杆（連係手段）１４３と引き金部材（操作部材）９０は、一体成形によって形成されていても構わない。
【００４６】
水鉄砲玩具１は、上記構成を有し、以下のように使用する。水収容タンク９の蓋部材２７を開口２６から外し、開口２６から水収容タンク９内に水を収容しておく。図３は、水を発射する前の初期状態の断面図である。水鉄砲玩具１は、引き金部材（操作部材）９０を第３の弾性部材９３の弾性に抗して、手前に引くと、連結ピン１０２、連結孔９４を介して連動部材１０１が後方に移動する。連動部材１０１が移動すると、支軸１０５を介して係合部材１０３も後方に移動し、係合部材１０３の後部１１３に係合している被係合部材７１を第１の弾性部材７７の弾性に抗して後方に移動させる。被係合部材７１が移動すると、突起６９，７０を介して圧力部材６０も後方に移動し、送水手段１０２の送水口１２５を開放する。
【００４７】
水鉄砲玩具１は、図４に示すように、引き金部材（操作部材）９０を手前に引くと、連結杆（連係手段）１４３を介して押上体１４１も後方に移動する。押上体１４１が後方に移動すると、第２の傾斜面１４２も後方に移動するので、第２の傾斜面１４２が摺動体１３７の第１の傾斜面１４０に摺接し、摺動体１３７を第２の弾性部材１３２の弾性に抗して、送水口１２５側、即ち上方に移動させる。摺動体１３７が上方に移動させられると、ピストン部材１２８も送水口１２５側、即ち上方に移動させられ（押し上げられ）、シリンダー部１２１内の水が送水口１２５を通過して発射室５８内に送水される。
【００４８】
水鉄砲玩具１は、さらに、引き金部材（操作部材）９０を第３の弾性部材９３の弾性に抗して手前に引くと、係合部材１０３の前部１１５が係合縁１１６に係合し、係合部材１０３が第４の弾性部材１０７の弾性に抗して、係合解除方向、即ち時計回転方向に支軸１０５を中心として回転する。係合部材１０３の後部１１３が被係合部材７１から外れて係合が解除されると、第１の弾性部材７７の弾性により、圧力部材６０が前方に移動し、図５に示すように、発射室５８内の水を発射口５５から発射する。圧力部材６０は、案内溝６３の後端６６が上半発射筒（スライド部材）１５の案内突起６５に当接して移動を停止する。
【００４９】
係合部材１０３が被係合部材７１から外れて係合が解除され、圧力部材６０が前方に移動した時であっても、引き金部材（操作部材）９０がまだ引かれた状態にあるので、図４に示すように、ピストン部材１２８が上方に移動した状態で保持されており、発射室５８内の水が送水口１２５を介してシリンダー部１２１内に逆戻りすることがない。発射口５５から発射される水は、発射体５３の第１の傾斜面部５６と第２の傾斜面５７によって、弾丸状に発射される。
【００５０】
図５に示すように、水鉄砲玩具１は、引き金部材（操作部材）９０の操作を解除すると、第３の弾性部材９３の弾性により、引き金部材（操作部材）９０が切り欠き９１の前端縁９９に当接するまで前方に移動し、係合部材１０３の前部１１５が係合縁１１６から外れ、連結杆（連係手段）１４３を介して押上体１４１も前方に移動する。押上体１４１が前方に移動すると、第２の傾斜面１４２も前方に移動するので、第２の傾斜面１４２が摺動体１３７の第１の傾斜面１４０から離れる方向に移動する。摺動体１３７は、送水口１
２５側、即ち上方に移動させられなくなるので、第２の弾性部材１３２の弾性により、送水口１２５と反対側、即ち下方に移動させられる。摺動体１３７が下方に移動させられると、ピストン部材１２８も送水口１２５とは反対側、即ち下方に移動する。圧力部材６０が送水口１２５を塞いでいるので、シリンダー部１２１内に負圧が発生し、水タンク９の収容室２５内の水が、送水連通管２８、送水管２２、受水連通管３２、連通口１２４を通過してシリンダー部１２１内に供給される。
【００５１】
図１に示すように、上ケース１０は、ガイド突起１２ａ，１３ａが下ケース４０のガイド溝４２ｂ，４３ｂに摺動自在に案内されている。図６に示すように、上ケース１０を下ケース４０に対して後方に移動させる。上ケース１０には、上半発射筒（スライド部材）１５が取り付けられているので、上半発射筒（スライド部材）１５も後方に移動する。上半発射筒（スライド部材）１５が後方に移動すると、案内突起６５、案内溝６３の後端６６を介して圧力部材６０も第１の弾性部材７７の弾性に抗して後方に移動する。圧力部材６０の後方への移動に伴って、被係合部材７１も後方に移動する。被係合部材７１は、初期位置にある係合部材１０３の上部に摺接して、係合部材１０３を第４の弾性部材１０７の弾性に抗して時計回転方向に回転させ、係合部材１０３を乗り越えると、係合部材１０３が第４の弾性部材１０７の弾性により反時計回転方向に回転するので、係合部材１０３の後部１１３に係合し、圧力部材６０が前方に付勢された状態、即ち初期状態に復帰する。
【００５２】
上ケース１０を後方に移動させると、上半発射筒（スライド部材）１５も後方に移動するので、主発射室５１の前部が開放され、主発射室５１内を見ることができる。上ケース１０を後方に移動させて、圧力部材６０の被係合部材７１を引き金部材（操作部材）９０の係合部材１０３に係合させた後、上ケース１０を発射体５３に当接するまで前方に移動させて、上半発射筒（スライド部材）１５も前方に移動させ、主発射室５１の開放された前部を閉塞し、再度発射室５８を形成する。
【００５３】
このように水鉄砲玩具１は、引き金部材（操作部材）９０を操作すると、係合部材１０３を介して圧力部材６０も後方に移動し、略同時に、ピストン部材１２８が送水口１２５側に移動して、シリンダー部１２１内の水が発射室５８内に送られ、係合部材１０３の圧力部材６０に対する係合が解除され、第１の弾性部材７７の弾性により、圧力部材６０が前方に移動し、発射室５８内の水を発射口５５から発射する。引き金部材（操作部材）９０の操作を解除すると、第３の弾性部材９３の弾性により、引き金部材（操作部材）９０、ピストン部材１２８が元の状態に復帰し、シリンダー部１２１内に水が蓄えられる。上ケース１０を往復動させると、上半発射筒（スライド部材）１５を介して、圧力部材６０が引き金部材（操作部材）９０の係合部材１０３に係合して初期状態に復帰する。
【００５４】
本願発明に係る水鉄砲玩具の他の実施の形態を図９，１０に基づいて説明する。図９は、本願発明に係る水鉄砲玩具の他の実施の形態を説明する側面断面図である。図１０は、本願発明に係る水鉄砲玩具の他の実施の形態を説明する斜視図である。前記実施の形態では、圧力部材６０は、第１の弾性部材７７の引っ張る力を利用して付勢されているが、図９に示すように、第１の弾性部材１４５の押圧力を利用して付勢しても構わないのは勿論である。即ち、圧力部材６０の後方下部に形成された一対の突起６９，７０に取り付けられた被係合部材７１には、前後方向に向かってガイド孔１４６が形成されている。被係合部材７１は、ガイド孔１４６にガイド軸１４９が摺動自在に挿通され、ガイド軸１４９に沿って前後方向に摺動可能となっている。ガイド軸１４９は、下ケース４０内に固定して取り付けられ、後部にバネ受け部１５０が形成されている。第１の弾性部材１４５は、被係合部材７１とバネ受け部１５０間のガイド軸１４９に巻装され、被係合部材７１を介して圧力部材６０を発射口５５側に向かって付勢する。
【００５５】
また、前記実施の形態では、水収容タンク９が上ケース１０に着脱自在に取り付けられているが、図１０に示すように、水タンク１５２を下ケース４０に着脱自在に取り付けても構わない。このようにすると、水タンク１５２の収容室２５とシリンダー部１２１内が連通口１２４により直接連通され、送水管２２が不要となる。
【実施例】
【００５６】
図１１に示すように、上記圧力部材６０の先端部６１は、頂点の角度ａが６０°〜９０°の範囲であると、ほぼ確実に弾丸状の水玉を形成することができる。水鉄砲玩具１は、先端部６１の頂点の角度ａが９１°以上になると水玉を形成する確率が低くなり、５９°以下になると小さな水玉を分散する現象が起こった。なお、頂点は、若干カットしても同様の結果を得ることができた。また、発射口５５に向かう第１の傾斜面部５６が存在しなくても、ほぼ確実に弾丸状の水玉を形成することができる。
【００５７】
図１２に示すように、第１の傾斜面部５６の傾斜角度ｂが５°〜７°の範囲であると、弾丸状の水玉の飛距離を向上することができた。水鉄砲玩具１は、第１の傾斜面部５６の傾斜角度ｂが４°以下になると飛距離が出なくなり、傾斜角度ｂが８°以上になると水玉を分散する現象が起こった。図１２（ｂ）に示すように、第２の傾斜面部５７が存在しないと、先端がシャープエッジになり、成形条件（バリ・ショート発生）で発射口５５の形状が一定せず、水玉形成の確実性が損なわれる。図１２（ｃ）に示すように、肉厚５９を形成すると、水玉形成の確実性が向上するが、飛距離が出なくなる。図１２（ａ）に示すように、第２の傾斜面部５７を形成すると、水玉形成の確実性が向上し、飛距離が増すことなった。
【図面の簡単な説明】
【００５８】
【図１】本願発明に係る水鉄砲玩具の一方側から視た斜視図である。
【図２】本願発明に係る水鉄砲玩具の他方側から視た斜視図である。
【図３】本願発明に係る水鉄砲玩具の側面断面図である。
【図４】発射室内に水を供給している側面断面図である。
【図５】発射室内の水を発射している側面断面図である。
【図６】圧力部材を引き戻して操作部材に係合させている側面断面図である。
【図７】本願発明に係る水鉄砲玩具の側面図である。
【図８】図７の各断面図である。
【図９】本願発明に係る水鉄砲玩具の他の実施の形態を説明する側面断面図である。
【図１０】本願発明に係る水鉄砲玩具の他の実施の形態を説明する斜視図である。
【図１１】本願発明に係る水鉄砲玩具の要部説明図である。
【図１２】本願発明に係る水鉄砲玩具の要部説明図である。
【符号の説明】
【００５９】
１  水鉄砲玩具
２  玩具本体
３  銃身部
９  水収容タンク
１０  上ケース
１１  上壁
１２  右上側壁
１２ａ  ガイド突起
１２ｂ  係合縁
１３  左上側壁
１３ａ  ガイド突起
１３ｂ  係合縁
１５  上半発射筒（スライド部材）
１５ａ  係合フランジ
１５ｂ  係合フランジ
１６  取付板
１７  透孔
１８  ボス
１９  取付軸
２０  嵌合凹部
２１  軸受部
２２  送水管
２５  収容室
２６  開口
２７  蓋部材
２８  送水連通管
２９  係止突起
３０  係止部材
３１  弾性部材
３２  受水連痛管
４０  下ケース
４２  右下側壁
４２ａ  係合縁
４２ｂ  ガイド溝
４３  左下側壁
４３ａ  係合縁
４３ｂ  ガイド溝
４５  下半発射筒
４５ａ  係合フランジ
４５ｂ  係合フランジ
４６  取付部材
４７  透孔
５０  発射筒
５１  主発射室
５３  発射体
５４  補助発射室
５５  発射口
５６  第１の傾斜面部
５７  第２の傾斜面部
５８  発射室
５９  肉厚
６０  圧力部材
６１  先端部
６３  案内溝
６５  案内突起
６６  後端
６７  前端
６９  突起
７０  突起
７１  係止部材
７２  嵌合穴
７３  嵌合穴
７４  切り欠き
７５  ネジ
７６  掛止片
７７  第１の弾性部材
７９  一端
８０  他端
８１  掛止軸
８３  握り部
８５  送水部
８６  連結部
９０  引き金部材（操作部材）
９１  切り欠き
９２  連結軸
９３  第３の弾性部材
９４  連結孔
９５  一端
９６  他端
９７  受け部材
９９  前端縁
１０１  連動部材
１０２  連結ピン
１０３  係合部材
１０５  支軸
１０６  突軸
１０７  第４の弾性部材
１０９  一端
１１０  他端
１１２  受け部材
１１３  後部
１１５  前部
１１６  係合縁
１２０  送水手段
１２１  シリンダー部
１２２  上壁
１２３  連通管
１２４  連通口
１２５  送水口
１２６  開口
１２７  側壁
１２８  ピストン部材
１２９  上壁
１３０  凹部
１３１  突起
１３２ 第２の弾性部材
１３５  下部
１３７  摺動体
１３９  下面
１４０  第１の傾斜面
１４１  押上体
１４２  第２の傾斜面
１４３  連結杆（連係手段）
１４５  第１の弾性部材
１４６  ガイド孔
１４９  ガイド軸
１５０  バネ受け部
１５２  水タンク
【図１】
2006153449.tif 000003
【図２】
2006153449.tif 000004
【図３】
2006153449.tif 000005
【図４】
2006153449.tif 000006
【図５】
2006153449.tif 000007
【図６】
2006153449.tif 000008
【図７】
2006153449.tif 000009
【図８】
2006153449.tif 000010
【図９】
2006153449.tif 000011
【図１０】
2006153449.tif 000012
【図１１】
2006153449.tif 000013
【図１２】
2006153449.tif 000014
【手続補正書】
【提出日】平成18年3月10日(2006.3.10)
【手続補正１】
【補正対象書類名】特許請求の範囲
【補正対象項目名】全文
【補正方法】変更
【補正の内容】
【特許請求の範囲】
【請求項１】
玩具本体には、
発射口を備えた発射室と、
発射室内に水密に移動自在に設けられ、発射口に向かって第１の弾性部材によって付勢される圧力部材と、
圧力部材を第１の弾性部材の弾性に抗して発射口とは反対側に移動させるスライド部材と、
スライド部材によって発射口とは反対側に移動させられ、第１の弾性部材の弾性が蓄えられた状態の圧力部材と係合する操作部材とを備え、
前記操作部材は、これを操作すると圧力部材との係合が解除され、圧力部材が第１の弾性部材の弾性によって発射口側に移動し、発射室内の水を発射口から発射させるように構成され、
圧力部材の発射口側の先端部は、略円錐状に形成されていることを特徴とする水鉄砲玩具。
【請求項２】
玩具本体には、
発射口を備えた発射室と、
発射室内に水密に移動自在に設けられ、発射口に向かって第１の弾性部材によって付勢される圧力部材と、
圧力部材を第１の弾性部材の弾性に抗して発射口とは反対側に移動させるスライド部材と、
スライド部材によって発射口とは反対側に移動させられ、第１の弾性部材の弾性が蓄えられた状態の圧力部材と係合する操作部材とを備え、
前記操作部材は、これを操作すると圧力部材との係合が解除され、圧力部材が第１の弾性部材の弾性によって発射口側に移動し、発射室内の水を発射口から発射させるように構成され、
発射室の発射口近傍は、発射口に向かって内径が狭くなる傾斜面部が形成されていることを特徴とする水鉄砲玩具。
【請求項３】
玩具本体には、
発射口を備えた発射室と、
発射室内に水密に移動自在に設けられ、発射口に向かって第１の弾性部材によって付勢される圧力部材と、
圧力部材を第１の弾性部材の弾性に抗して発射口とは反対側に移動させるスライド部材と、
スライド部材によって発射口とは反対側に移動させられ、第１の弾性部材の弾性が蓄えられた状態の圧力部材と係合する操作部材とを備え、
前記操作部材は、これを操作すると圧力部材との係合が解除され、圧力部材が第１の弾性部材の弾性によって発射口側に移動し、発射室内の水を発射口から発射させるように構成され、
圧力部材の発射口側の先端部は、略円錐状に形成され、
発射室の発射口近傍は、発射口に向かって内径が狭くなる傾斜面部が形成されていることを特徴とする水鉄砲玩具。
【手続補正２】
【補正対象書類名】明細書
【補正対象項目名】０００４
【補正方法】変更
【補正の内容】
【０００４】
本願発明は、確実に発射する水を弾丸形状にして飛ばすことができる水鉄砲玩具を提供することを第１の目的とする。さらにまた、本願発明は、弾丸形状の水玉の飛距離を大幅に向上した水鉄砲玩具を提供することを第２の目的とする。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】変更
【補正の内容】
【００１２】
請求項１記載の発明に係る水鉄砲玩具は、上記第１の目的を達成するため、玩具本体には、発射口を備えた発射室と、発射室内に水密に移動自在に設けられ、発射口に向かって第１の弾性部材によって付勢される圧力部材と、圧力部材を第１の弾性部材の弾性に抗して発射口とは反対側に移動させるスライド部材と、スライド部材によって発射口とは反対側に移動させられ、第１の弾性部材の弾性が蓄えられた状態の圧力部材と係合する操作部材とを備え、前記操作部材は、これを操作すると圧力部材との係合が解除され、圧力部材が第１の弾性部材の弾性によって発射口側に移動し、発射室内の水を発射口から発射させるように構成され、圧力部材の発射口側の先端部は、略円錐状に形成されている。
【手続補正１１】
【補正対象書類名】明細書
【補正対象項目名】００１３
【補正方法】変更
【補正の内容】
【００１３】
請求項２記載の発明に係る水鉄砲玩具は、上記第２の目的を達成するため、玩具本体には、発射口を備えた発射室と、発射室内に水密に移動自在に設けられ、発射口に向かって第１の弾性部材によって付勢される圧力部材と、圧力部材を第１の弾性部材の弾性に抗して発射口とは反対側に移動させるスライド部材と、スライド部材によって発射口とは反対側に移動させられ、第１の弾性部材の弾性が蓄えられた状態の圧力部材と係合する操作部
材とを備え、前記操作部材は、これを操作すると圧力部材との係合が解除され、圧力部材が第１の弾性部材の弾性によって発射口側に移動し、発射室内の水を発射口から発射させるように構成され、発射室の発射口近傍は、発射口に向かって内径が狭くなる傾斜面部が形成されている。
【手続補正１２】
【補正対象書類名】明細書
【補正対象項目名】００１４
【補正方法】変更
【補正の内容】
【００１４】
請求項３記載の発明に係る水鉄砲玩具は、上記第１、２の目的を達成するため、玩具本体には、発射口を備えた発射室と、発射室内に水密に移動自在に設けられ、発射口に向かって第１の弾性部材によって付勢される圧力部材と、圧力部材を第１の弾性部材の弾性に抗して発射口とは反対側に移動させるスライド部材と、スライド部材によって発射口とは反対側に移動させられ、第１の弾性部材の弾性が蓄えられた状態の圧力部材と係合する操作部材とを備え、前記操作部材は、これを操作すると圧力部材との係合が解除され、圧力部材が第１の弾性部材の弾性によって発射口側に移動し、発射室内の水を発射口から発射させるように構成され、圧力部材の発射口側の先端部は、略円錐状に形成され、発射室の発射口近傍は、発射口に向かって内径が狭くなる傾斜面部が形成されている。